(57)【要約】      （修正有）【課題】あたかも水中にいるかのような雰囲気を出す照明器具を提供する。【解決手段】透光性を有するガラス体と、前記ガラス体の内部に形成されるキャビティと、前記キャビティ内に注入される電気応答流体と、前記電気応答流体に電圧を印可して前記電気応答流体を流動させる流動手段と、前記電気応答流体に投光する投光手段を備えたことを特徴としている。ガラス体内に形成されるキャビティ内に、ＥＨＤ現象を生じる電気応答流体を注入し、この電気応答流体に電圧を印加して電気応答流体を流動させる。このキャビティを投光部からの照明光により照明する。【選択図】図１
2005190898.tif 000002
【特許請求の範囲】
【請求項１】
透光性を有するガラス体と、
前記ガラス体の内部に形成されるキャビティと、
前記キャビティ内に注入される電気応答流体と、
前記電気応答流体に電圧を印加して前記電気応答流体を流動させる流動手段と、
前記電気応答流体に投光する投光手段と
を備えたことを特徴とする照明器具。
【請求項２】
前記ガラス体の表面部であって前記投光手段からの光が通過する部分がすりガラスとされた請求項１記載の照明器具。
【請求項３】
前記ガラス体の表面部であって前記投光手段からの光が通過する部分が透明とされた請求項１記載の照明器具。
【請求項４】
前記ガラス体の外側に配置され前記ガラス体を通過した前記投光手段からの光を投影するための投影部を備えた請求項１記載の照明器具。
【請求項５】
前記流動手段は、前記電気応答流体内に配置される第１電極及び第２電極と、
前記第１及び第２電極間に電圧を印加する電圧印加手段とを備え、電圧の印加により前記電気応答流体の流動を生じさせる
ことを特徴とする請求項１記載の照明器具。
【請求項６】
前記第１電極は固定電極であり、前記第２電極は前記第１電極に対し相対的に移動する移動電極である請求項５記載の照明器具。
【発明の詳細な説明】
【技術分野】
【０００１】
本発明は照明器具に関し、より詳しくは、液体を介して照明光を投影する照明器具に関する。
【背景技術】
【０００２】
飲食店やホテルなど異次元的な雰囲気を醸し出したいスペースにおいては、様々な特殊な照明器具が使用されている。例えば、回り灯篭、ミラーボール等が古くから利用されており、また近年では、電球のフィラメントに印加する電圧を周期的に変化させて照明光量のゆらぎ（例えば１／ｆゆらぎ等）を生じさせ、これによりロウソクや焚き火の雰囲気を出す照明器具が知られている。
【発明の開示】
【発明が解決しようとする課題】
【０００３】
本発明は、このような特殊照明器具において、あたかも水中にいるかのような雰囲気を出すことを目的とするものである。
【課題を解決するための手段】
【０００４】
上記目的達成のため、この発明に係る照明器具は、透光性を有するガラス体と、前記ガラス体の内部に形成されるキャビティと、前記キャビティ内に注入される電気応答流体と、前記電気応答流体に電圧を印加して前記電気応答流体を流動させる流動手段と、前記電気応答流体に投光する投光手段とを備えたことを特徴とする。
【発明の効果】
【０００５】
本発明によれば、キャビティ内に注入される電気応答流体が流動手段により流動させられる。電気応答流体は、電圧を印加されることにより、いわゆるＥＨＤ現象（Electro Hydro Dynamics Phenomenon）を生じさせるものである。ここでＥＨＤ現象とは、キシレン、クロロホルム等のある種の電気絶縁性流体（電気応答流体）に電極を挿入し、これに高電圧を印加すると、電極間で電気応答流体の拡散、攪拌などの力学的現象が発生する現象のことをいう。このようにして流動させられた電気応答流体が投光部により照明される。この流動する電気応答流体を通過した照明光が作り出す模様により、照明器具が設置される空間があたかも水中であるかのような雰囲気が作られる。このため、飲食店やホテルなどの空間において、異次元的な雰囲気を醸し出すのに非常に有効である。
【発明を実施するための最良の形態】
【０００６】
次に、本発明の実施の形態を図面を参照して詳細に説明する。
本発明の第１の実施の形態に係る照明器具は、図１に示すように、ガラス体１０を備えており、このガラス体１０の内部には、キャビティ１０ａが形成されている。そして、このキャビティ１０ａに、電圧の印加によりいわゆるＥＨＤ現象を生じる電気応答流体２０が封入されている。この実施の形態での電気応答流体２０は、ある程度の透光性を有するものであることが必要である。
【０００７】
また、この照明器具は、図１に示すように、流体流動部３０と、投光部４０とを備えている。流体流動部３０は、第１電極３１と、この第１電極に対向して配置される第２電極３２と、この第１電極３１と第２電極３２間に電圧を印加するための直流電源３３と、スイッチ３４とを備えている。この構成により、流体流動部３０は、ＥＨＤ現象により電気応答流体２０の液面に流動を与える機能を有する。直流電源３３から電極３１、３２への電圧供給の切換えは、スイッチ３４により行なわれる。
投光部４０は、この電気応答流体２０を照明するものであり、図示しない商用交流電源からの電力により点灯される。なお、この投光部４０とキャビティ１０ａを結ぶ線の延長線上を含むガラス体１０の表面は、すりガラス状にされており、これにより投光部４０からの照明光が乱反射され、そのすりガラス部に光の模様が形成されるようにされている。
【０００８】
次に、この図１に示す照明器具の作用を説明する。
流体流動部３０の第１電極３１及び第２電極３２の間に電圧が印加され、電気応答流体２０にＥＨＤ現象が発生すると、電気応答流体２０の液面に流動が発生する。投光部４０から発して電気応答流体２０を通過してガラス体１０のすりガラス部に投影される照明光は、そのすりガラス部に、その液面の流動により生じる波によるランダムな光の模様を生じさせる。このランダムな模様は、プールの底によく見られるような、略ストライプ状、若しくは略格子状の模様等であり、照明器具が設置されるスペースにあたかも水の中にいるような雰囲気を醸し出す。
【０００９】
この図１では、投光部４０からの照明光が通過するガラス体１０の表面をすりガラス状とし、これによりガラス体１０の表面に光の模様が形成されるようにしたが、ガラス体１０の表面を透明とし、天井や床等にこうした光の模様が形成されるようにすることもできる。
【００１０】
次に、本発明の第２の実施の形態を、図２に基づいて説明する。
この実施の形態では、ガラス体１０の表面を透明とすると共に、このガラス体１０を半透明プラスチックのケース５０で覆っている点で、第１の実施の形態と異なっている。このケース５０は、液面が流動させられた電気応答流体２０を通過した照明光を投影するための投影部として機能するものである。すなわち、このケース５０上に液面の流動により生じる波の模様が形成され、水の中にいるような雰囲気を醸し出すものである。なお、ケース５０を、障子紙やすりガラス等で形成することも可能である。
【００１１】
次に、本発明の第３の実施の形態を、図３に基づいて説明する。
この実施の形態では、ガラス体１０を左右に一対形成し、投光部４０をその左右一対のガラス体１０の間に設け、電気応答流体１０を横方向から照明するようにしている点で、前述の実施の形態と異なっている。この図３では、ガラス体１０の表面をすりガラス状に形成しているので、ガラス体１０の側面の表面に上記のような模様が形成される。ガラス体１０の表面を透明にすると共に、上記のような波による模様を壁面等に形成させることも可能である。いずれの場合にも、こうした光の模様が照明器具の左右両側に形成されるので、水の中にいる雰囲気を一層強くすることができる。ガラス体１０を１つだけとし、その側方から投光部４０によりキャビティ１０ａを照明する形式も勿論可能である。
【００１２】
次に、本発明の第４の実施の形態を、図４に基づいて説明する。この第４の実施の形態の照明器具は、第１電極３１´が固定電極であり、第２電極３２´がこの第１電極３１´に対し回転移動可能に配置されている点で、上記実施の形態と異なる。第１電極３１´は、キャビティ１０ａの底部に環状に形成されているものであり、一方、第２電極３２´は、先端に突起部３２ａ´を有しており、この突起部３２ａ´が第１電極３１´と対向している。なお、第１電極３１´及び第２電極３２´は、表面をＩＴＯ膜で覆われたガラスにより形成することができる。第２電極３２´は、金属製の回転軸３５と接している。第２電極３２´は、この回転軸３５を通じて直流電源３３の電圧を印加される。
このような構成において、第１電極３１´及び第２電極３２´の間に電圧が印加されると、第１電極３１´から第２電極３２´間で電気応答流体２０の流動が生じ、その反作用で回転電極３２´がこの流動とは反対の方向に回転する。この流動及び回転力により電気応答流体２０の液面に流動が生じるので、上記の実施の形態と同様の効果を得ることができる。
【００１３】
次に、本発明の第５の実施の形態を、図５を参照して説明する。この実施の形態では、電気応答流体２０の中に微小なガラスビーズ６０を多数混入させた点で、上記の実施の形態と異なっている。この構成において、電極３１と３２の間に電圧が印加され、電気応答流体２０の流動が生じると、上記の実施の形態と同様に電気応答流体２０の液面に流動が生じると共に、このガラスビーズ６０が流動するので、これが投光部４０からの照明光を乱反射させる。このため、ガラス体１０表面のすりガラス部等に現われる光の模様も、このガラスビーズ６０の影響が加わることにより、上記実施の形態とは微妙に異なったものとなる。
図５では、上下方向の電気応答流体２０の流動を作るため、電極３１及び３２を上下方向に配置しているが、本発明は特にこれに限定されるものではなく、第１の実施の形態等と同様、左右方向に配置することも可能である。なお、この実施の形態でも、ガラス体１０の表面をすりガラスとする代わりに透明とし、光の模様を壁や天井に映し出すようにしてもよい。また、第２の実施の形態のように、ケース５０をガラス体１０の外側に配置してもよい。また、ガラスビーズ６０を中空ガラスビーズとすることもできる。
【００１４】
次に、本発明の第６の実施の形態を、図６を参照して説明する。この実施の形態では、キャビティ１０ａの上部に、投光部４０からの照明光を導光するための導光管７０を設けている点で、上記の実施の形態と異なっている。導光管７０の内面には、導かれた光を反射させるため、銀メッキ等の金属膜が形成されている。この構成によれば、導光管７０の内部を反射して導かれ、電機応答流体２０及びガラス体１０の底面を通過した光が、床面等に上述したような光の模様を生じさせる。
【００１５】
以上、発明の実施の形態について説明したが、本発明はこれらに限定されるものではなく、発明の趣旨を逸脱しない範囲内において、種々の追加、置換、組合せ等が可能である。例えば、上記の実施の形態では、第１電極３１と第２電極３２との間に直流電圧を印加したが、交流電圧でも構わないことは言うまでもない。また、第４の実施の形態において、第２電極３２´を回転移動させるのでなく、例えば水平方向に流動させるように構成することも可能である。
【図面の簡単な説明】
【００１６】
【図１】本発明の第１の実施の形態に係る照明器具の構成を示す。
【図２】本発明の第２の実施の形態に係る照明器具の構成を示す。
【図３】本発明の第３の実施の形態に係る照明器具の構成を示す。
【図４】本発明の第４の実施の形態に係る照明器具の構成を示す。
【図５】本発明の第５の実施の形態に係る照明器具の構成を示す。
【図６】本発明の第６の実施の形態に係る照明器具の構成を示す。
【符号の説明】
【００１７】
１０・・・ガラス体、  １０ａ・・・キャビティ、  ２０・・・電気応答流体、  ３０・・・流体流動部、  ３１・・・第１電極、  ３２・・・第２電極、  ３３・・・直流電源、  ４０・・・投光部、  ５０・・・ケース、  ６０・・・ガラスビーズ、  ７０・・・導光管。
【図１】
2005190898.tif 000003
【図２】
2005190898.tif 000004
【図３】
2005190898.tif 000005
【図４】
2005190898.tif 000006
【図５】
2005190898.tif 000007
【図６】
2005190898.tif 000008